(57)【要約】【課題】商用交流電源から電子機器への電力供給をオン又はオフするために使用者が操作するスイッチ部品として、各国の安全規格を満たさないスイッチ部品であっても自在に利用可能な電子スイッチ装置を提供すること。【解決手段】本発明によれば、発振手段が、操作スイッチにより二次側コイルの両端が開放されると発振し、該二次側コイルの両端が短絡されると、一次側コイルのインダクタ値の減少に起因し発振が停止するので、二次側コイルの両端の状態が発振手段からの出力の出力態様に反映される。よって、かかる出力態様に基づくことにより、電力供給路の導通又は遮断を操作スイッチの操作状態に応じて行うことができる。ここで、操作スイッチが接続される二次側コイルは、一次側コイルに対して絶縁されているので、各国の安全規格を満たさないスイッチ部品を操作スイッチとして使用したとしても、操作スイッチを操作する使用者の安全を確保できる。【選択図】図２
2011199591.tif 000002
【特許請求の範囲】
【請求項１】
電力供給源と電力使用部との間に介在され、前記電力供給源から前記電力使用部への電力供給路を導通又は遮断する電子スイッチ装置であって、
一次側コイルと、その一次側コイルに対して絶縁されている二次側コイルとから構成されるトランスと、
そのトランスにおける二次側コイルの両端の短絡と開放とを切り換える操作スイッチと、
前記一次側コイルを含み、所定周波数で発振する発振手段と、
前記発振手段の発振態様を検出する検出手段と、
前記検出手段の検出結果に基づいて、前記電力供給路の導通と遮断とを切り換える切換手段とを備えていることを特徴とする電子スイッチ装置。
【請求項２】
前記検出手段は、前記発振手段からの出力の電圧振幅が所定値を超える場合に、出力を、ハイ又はローのうち予め規定されている第１状態とし、前記発振手段からの出力の電圧振幅が所定値以下である場合に、出力を、前記第１状態とは異なる第２状態とし、
前記切換手段は、前記検出手段からの出力に基づいて、前記電力供給路の導通と遮断とを切り換えることを特徴とする請求項１記載の電子スイッチ装置。
【請求項３】
電力供給源と電力使用部との間に介在され、前記電力供給源から前記電力使用部への電力供給路を導通又は遮断する電子スイッチ装置であって、
一次側コイルと、その一次側コイルに対して絶縁されている二次側コイルとから構成されるトランスと、
そのトランスにおける二次側コイルの両端の短絡と開放とを切り換える操作スイッチと、
所定周波数で発振する発振部を備えた発振手段と、
前記一次側コイルを含み、前記操作スイッチが前記二次側コイルの両端を開放している場合に、前記発振手段の発振部にブロッキング発振を生じさせる共振手段と、
前記発振手段からの出力である前記ブロッキング発振の発振態様を検出する検出手段と、
前記検出手段の検出結果に基づいて、前記電力供給路の導通と遮断とを切り換える切換手段とを備えていることを特徴とする電子スイッチ装置。
【請求項４】
前記発振手段は、前記発振部を発振させるためのトランジスタをさらに備え、発振信号を前記トランジスタのエミッタから出力し、
前記共振手段は、前記一次側コイルと直列に接続されたコンデンサを有し、該直列に接続された一次側コイルとコンデンサとの一端を前記発振手段におけるトランジスタのエミッタに接続すると共に、他端を当該トランジスタのベースに接続したものであり、
前記検出手段は、前記発振手段からの出力である前記ブロッキング発振の電圧振幅が所定値を超える場合に、出力を、ハイ又はローのうち予め規定されている第１状態とし、前記ブロッキング発振の電圧振幅が所定値以下である場合に、出力を、前記第１状態とは異なる第２状態とし、
前記切換手段は、前記検出手段からの出力に基づいて、前記電力供給路の導通と遮断とを切り換えることを特徴とする請求項１記載の電子スイッチ装置。
【請求項５】
前記操作スイッチは、アンラッチ型のスイッチであり、
前記検出手段からの入力が前記第１状態から前記第２状態に切り換わる毎に、出力の状態を反転させてラッチするラッチ手段を備え、
前記切換手段は、前記ラッチ手段からの出力に基づいて、前記電力供給路の導通と遮断とを切り換えることを特徴とする請求項２又は４に記載の電子スイッチ装置。
【請求項６】
ラッチ手段は、ハイ又はローのうち予め規定されている第３状態が入力された場合に、出力状態を優先的に前記切換手段が前記電力供給路を遮断する状態とする入力端子を有しており、
制御信号を入力する制御入力手段を備え、
前記制御入力手段から入力された制御信号に基づき、前記入力端子への出力状態を、前記第３状態とは異なる第４状態から、前記第３状態に切り換える初期化手段を備えていることを特徴とする請求項５記載の電子スイッチ装置。
【請求項７】
ラッチ手段は、ハイ又はローのうち予め規定されている第３状態が入力された場合に、出力状態を優先的に前記切換手段が前記電力供給路を遮断する状態とする入力端子を有しており、
電力供給源に接続するコネクタと、
前記コネクタが前記電力供給源に接続されると電荷が蓄電され、前記コネクタが前記電力供給源から取り外されると放電するコンデンサと、そのコンデンサの電荷量が所定量以下である場合に前記入力端子への出力状態を前記第３状態とし、前記コンデンサの電荷量が所定量を超える場合に前記入力端子への出力状態を前記第４状態とする出力手段とを含んで構成される第２初期化手段とを備えていることを特徴とする請求項５又は６に記載の電子スイッチ装置。
【請求項８】
前記発振手段からの出力の電圧振幅が所定値を超える場合に、ハイ又はローのうち予め規定されている第５状態を出力し、前記発振手段からの出力の電圧振幅が所定値以下である場合に、前記第５状態とは異なる第６状態を出力する第２の検出手段を備え、
前記切換手段は、前記第２の検出手段からの入力が第６の状態である場合に、前記ラッチ手段からの入力に優先させて前記電力供給路を導通させる優先手段を含むことを特徴とする請求項７記載の電子スイッチ装置。
【発明の詳細な説明】
【技術分野】
【０００１】
本発明は電子スイッチ装置に関し、特に、商用交流電源などの電力供給源から電子機器への電力供給をオン又はオフするためのスイッチ部品として安全規格とは無関係に各種の機械式スイッチ部品を利用可能な電子スイッチ装置に関する。
【背景技術】
【０００２】
電子機器が商用交流電源から電力を取る場合には、ケーブルから放射される電磁ノイズや高電圧による感電や漏電に対する対策を取る必要がある。例えば、特許文献１には、電源操作スイッチと電源ユニットのスイッチ部とを、電源操作スイッチの押操作によって電源ユニットのスイッチ部を押下できるように連結部材によって機械的に連結した電源スイッチ機構が記載されている。
【０００３】
かかる電源スイッチ機構によれば、機器の背面側に電源を設けつつ、操作者により操作される電源操作ボタンを機器の前面に設けることができるので、電源ユニットのスイッチ部をケーブルによって機器の前面側まで延ばす必要がないので、機器内のケーブルを短くすることができ、電磁ノイズを低減できるというものである。
【先行技術文献】
【特許文献】
【０００４】
【特許文献１】特開平６−１６２８７１号公報
【発明の概要】
【発明が解決しようとする課題】
【０００５】
ところで、商用交流電源から電子機器への電力供給をオン又はオフするためのスイッチとして機械式のスイッチ部品を用いる場合には、使用する機械式のスイッチ部品が、その電子機器を使用する国に応じた安全規格を満たしている必要があり、当該安全規格を満たす機械式スイッチは、高電圧に対して当然十分に安全であるものの、構造的に大きく、価格も高価である。
【０００６】
特許文献１に記載される電源スイッチ機構は、電源操作ボタンと電源ユニットのスイッチ部とが機械的に連結されているので、電源操作ボタンとして安全規格を満たすものを使用する必要はないが、電源操作ボタンと電源ユニットとの互いの配置の自由度が低かったり、構造的に大きくなってしまう。一方で、電源ユニットのスイッチ部を、電磁遮蔽性の高いケーブルを用いて電源ユニットから延ばすとしても、商用交流電源からの電圧が印加される当該スイッチ部は安全規格を満たす必要があるため、配置の自由度が高まる代わりに上記の問題を生じる。
【０００７】
本発明は、上述した事情等に鑑みてなされたものであり、商用交流電源などの電力供給源から電子機器への電力供給をオン（導通）又はオフ（遮断）するために使用者が操作するスイッチ部品として、各国の安全規格を満たさない機械式のスイッチ部品であっても自在に利用可能な電子スイッチ装置を提供することを目的としている。
【課題を解決するための手段および発明の効果】
【０００８】
この目的を達成するために、請求項１記載の電子スイッチ装置によれば、所定周波数で発振する発振手段が設けられている。この発振手段は、トランスにおける一次側コイルを含んでいるので、操作スイッチが二次側コイルの両端を開放している場合に発振する一方で、トランスの二次側コイルの両端が操作スイッチによって短絡された場合には、該一次側コイルのインダクタ値が減少することにより発振動作が阻害されて発振が停止する。
【０００９】
また、請求項３記載の電子スイッチ装置によれば、所定周波数で発振する発振部を備えた発振手段が設けられている。一方、コイル（トランスにおける一次側コイル）を有する共振手段が設けられており、操作スイッチが二次側コイルの両端を開放している場合に、その共振手段が、発振手段の発振部にブロッキング発振（寄生の間欠発振）を生じさせる。その一方で、トランスの二次側コイルの両端が操作スイッチによって短絡された場合には、該トランジスタの一次側コイルのインダクタ値が減少し、それに伴い、発振手段（発振部）の発振動作が阻害されて発振が停止する。
【００１０】
このように、請求項１又は３に記載の電子スイッチ装置によれば、操作スイッチが二次側コイルの両端を開放したか短絡したかが、発振手段からの出力（特に、請求項３記載の電子スイッチ装置の場合には、発振手段からの出力であるブロッキング発振）の発振態様に反映されるので、その発振態様を検出手段により検出することによって、操作スイッチの状態を区別することができる。よって、検出手段の検出結果に基づくことにより、切換手段による、電力供給源から電力使用部への電力供給路（以下、単に「電力供給路」と称す）の導通と遮断との切り換えを、操作スイッチの操作状態に応じて行うことができるという効果がある。
【００１１】
また、請求項１又は３に記載の電子スイッチ装置によれば、操作スイッチが接続される二次側コイルは、一次側コイルに対して絶縁されているので、世界各国の安全規格を満たさないスイッチ部品を操作スイッチとして使用したとしても、操作スイッチを操作する使用者の安全を確保することができるという効果がある。また、世界各国の安全規格を満たさないスイッチ部品であっても操作スイッチとして使用できるので、操作スイッチ部分のコストを安価に抑えることができるという効果がある。
【００１２】
また、請求項１又は３に記載の電子スイッチ装置によれば、操作スイッチが接続される二次側コイルと、一次側コイルとが絶縁されていることにより、二次側コイルと操作スイッチとを接続する電線も、高電圧用の高価な電線でなく安価な電線を使用することができるという効果がある。また、輻射ノイズを考慮することなく電線の長さを自在に長くすることができるので、操作スイッチの取り付け位置を自由に配置することが可能になるという効果がある。
【００１３】
請求項２記載の電子スイッチ装置によれば、請求項１記載の電子スイッチ装置の奏する効果に加えて、次の効果を奏する。上述した通り、操作スイッチが二次側コイルの両端を開放している場合には、発振手段が発振する一方で、該二次側コイルの両端が操作スイッチによって短絡された場合には、該発振手段の発振が停止する。このように、操作スイッチが二次側コイルの両端を開放したか短絡したかは、発振手段からの出力の電圧振幅に反映される。
【００１４】
ここで、発振手段からの出力の電圧振幅が所定値を超えていれば、ハイ又はローのうち予め規定されている第１状態が検出手段から出力され、該出力の電圧振幅が所定値以下であれば、第１状態とは異なる第２状態が検出手段から出力される。よって、検出手段からの出力が第１状態であるか、第２状態であるかに応じて、切換手段は、操作スイッチの状態を区別することができる。従って、検出手段からの出力に基づくことにより、切換手段による電力供給路の導通と遮断との切り換えを、操作スイッチの操作状態に応じて行うことができるという効果がある。
【００１５】
請求項４記載の電子スイッチ装置によれば、請求項３記載の電子スイッチ装置の奏する効果に加えて、次の効果を奏する。発振手段は、発振部に加え、該発振部を発振させるためのトランジスタを有しており、該トランジスタにおける発振信号が出力されるエミッタと、ベースとの間に、共振手段におけるコイル（トランスにおける一次側コイル）とコンデンサとを直列接続したものが設けられる。
【００１６】
上述した通り、操作スイッチが二次側コイルの両端を開放している場合には、共振手段が、発振手段の発振部にブロッキング発振を生じさせる一方で、該二次側コイルの両端が操作スイッチによって短絡された場合には、発振手段（発振部）の発振が停止する。このように、操作スイッチが二次側コイルの両端を開放したか短絡したかは、発振手段からの出力、即ち、ブロッキング発振の電圧振幅に反映される。
【００１７】
ここで、発振手段からの出力の電圧振幅（ブロッキング発振の電圧振幅）が所定値を超えていれば、ハイ又はローのうち予め規定されている第１状態が検出手段から出力され、該出力の電圧振幅が所定値以下であれば、第１状態とは異なる第２状態が検出手段から出力される。よって、検出手段からの出力が第１状態であるか、第２状態であるかに応じて、切換手段は、操作スイッチの状態を区別することができる。従って、検出手段からの出力に基づくことにより、切換手段による電力供給路の導通と遮断との切り換えを、操作スイッチの操作状態に応じて行うことができるという効果がある。
【００１８】
また、ブロッキング発振が生じることにより、省電力であっても大きな電圧振幅を得ることができるので、電子スイッチ装置を省電力に構成しつつも、検出手段による検出精度を上げることができ、切換手段による電力供給路の導通と遮断との切り換えを精度良く行うことができるという効果がある。
【００１９】
請求項５記載の電子スイッチによれば、請求項２又は４に記載の電子スイッチの奏する効果に加え、次の効果を奏する。操作スイッチがアンラッチ型のスイッチである場合には、電力供給路を導通するとき（即ち、スイッチオン）の操作であっても、電力供給路を遮断するとき（即ち、スイッチオフ）の操作であっても、検出手段からの出力は第２状態となるので、該検出手段からの出力では、操作スイッチが、スイッチオンのために操作されたのか、スイッチオフのために操作されたのかを区別することができない。
【００２０】
しかし、請求項５記載の電子スイッチ装置によれば、検出手段からの出力によるラッチ手段の入力が第１状態から第２状態に切り換わる毎に、ラッチ手段が出力の状態を反転させてラッチするように構成されているので、ラッチ手段からの出力状態は、操作スイッチを２回操作する毎に同じ状態に戻ることになる。よって、ラッチ手段の出力からは、アンラッチ型のスイッチにおけるスイッチオンのために操作と、スイッチオフのための操作とを区別することができるので、操作スイッチとしてアンラッチ型のスイッチを用いた場合であっても、電力供給路の導通と遮断とを使用者の意図（即ち、操作）に応じて切り換えることができるという効果がある。
【００２１】
ところで、ラッチ型のスイッチ部品を用いた場合、制御手段による制御によって電力供給路を遮断したとしても、切り忘れ等の理由により、スイッチ部品が電力供給路を導通させるスイッチ位置で固定されていれば、電力供給路が導通されたままとなり、電力供給路を遮断できない。しかし、請求項５記載の電子スイッチ装置によれば、操作スイッチがアンラッチ型のスイッチであるので、非操作時にはトランスの二次側コイルの両端が必ず開放されている。よって、制御手段による制御によって電力供給路を遮断すれば、電力供給路を確実に遮断することができるので、電力を無駄に消費させないという効果がある。
【００２２】
請求項６記載の電子スイッチ装置によれば、請求項５記載の電子スイッチ装置の奏する効果に加え、次の効果を奏する。制御入力手段から入力された制御信号に基づき、ラッチ手段における所定の入力端子への出力状態が、初期化手段により、ハイ又はローのうち予め規定されている第３状態とは異なる第４状態から、該第３状態に切り換えられる。ここで、初期化手段からの出力が入力されるラッチ手段の入力端子は、第３状態が入力された場合に、出力状態を優先的に切換手段が電力供給路を遮断する状態とするものであるので、制御入力手段から入力された制御信号に基づき、電力供給路を遮断できる。
【００２３】
よって、制御入力手段から入力される制御信号によって、電力供給路を自動的に遮断させることができるという効果がある。そのため、電力使用部（電子楽器など）や他の機器（電子タイマ装置など）の都合に応じて制御入力手段へ制御信号を出力し、その制御信号を該制御入力手段から入力させることによって電力供給路を遮断させることができるので、電力使用部の不使用時などに無駄な電力が供給されないようにすることが可能となる。
【００２４】
また、制御入力手段からの入力に基づき、ラッチ手段からの出力状態が、切換手段が電力供給路を遮断する状態にされるので、スイッチオフ（電力供給路の遮断）の目的で操作スイッチを操作したときと同等の状態にすることができる。よって、次に行われる操作スイッチの操作を、スイッチオン（電力供給路の導通）の操作として扱うことができ、制御入力手段からの入力に基づいて電力供給路を遮断した後に、使用者が操作スイッチを操作したにもかかわらず、意図に反して電子使用部が駆動しないという事態を避けることができるという効果がある。
【００２５】
請求項７記載の電子スイッチ装置によれば、請求項５又は６に記載の電子スイッチ装置の奏する効果に加え、次の効果を奏する。第２初期化手段はコンデンサと出力手段とを有している。第２初期化手段のコンデンサは、コネクタが電力供給源に接続されると電荷が蓄電され、該コネクタが電力供給源から取り外されると放電するように構成されている。コンデンサの電荷量が所定量以下である場合には、第２初期化手段の出力手段により、ハイ又はローのうち予め規定されている第３状態がラッチ手段の所定の入力端子へ出力される一方で、コンデンサの電荷量が所定量を超える場合には、第３状態とは異なる第４状態が同入力端子へ出力される。
【００２６】
よって、コネクタが電力供給源から取り外されてコンデンサが放電された状態から、該コネクタを電力供給源に接続した場合には、コンデンサに所定量の電荷が蓄電されるまでの期間において、第２初期化手段の出力手段から、第３状態（ハイ又はローのいずれか）を出力させることができる。ここで、第２初期化手段からの出力が入力されるラッチ手段の入力端子は、第３状態が入力された場合に、出力状態を優先的に切換手段が電力供給路を遮断する状態にするものであるので、コネクタが電力供給源に接続された当初（コンデンサに所定量の電荷が蓄電されるまでの期間）において、電力供給路を遮断させることができる。そのため、コネクタを電力供給源に接続したときに、意図せず電力供給路が導通されて電力使用部が駆動してしまうことを防止できるという効果がある。
【００２７】
請求項８記載の電子スイッチ装置によれば、請求項７記載の電子スイッチ装置の奏する効果に加えて、次の効果を奏する。発振手段からの出力の電圧振幅が所定値を超える場合には、ハイ又はローのうち予め規定されている第５状態が第２の検出手段から出力され、該出力の電圧振幅が所定値以下である場合には、第５状態とは異なる第６状態が該第２の検出手段から出力される。つまり、操作スイッチが非操作状態であって二次側コイルの両端を開放している間は、第２の検出手段からの出力は第５状態であり、操作スイッチが操作されて二次側コイルの両端を閉鎖している間は、第２の検出手段からの出力は第６状態となる。
【００２８】
そして、第２の検出手段から切換手段に第６状態が出力されたことにより、該切換手段に第６状態が入力されると、優先手段（切換手段の一部）により、ラッチ手段からの入力に優先させて電力供給路が導通される。よって、操作スイッチの操作に伴うラッチ手段からの入力が電力供給路を遮断させる状態であったとしても、操作スイッチが操作され続けている間は電力供給路を導通させることができる。即ち、操作スイッチを操作し続けていれば、ラッチ手段からの出力状態に依ることなく、電力供給路を導通させることができるので、操作スイッチを操作しながらコネクタを電力供給源に接続することにより、電力供給路を導通させることができる。そのため、コネクタを電力供給源に接続したタイミングで電力使用部を駆動させることができるという効果がある。
【図面の簡単な説明】
【００２９】
【図１】本発明の一実施形態である電子スイッチ装置の使用状態を示す模式図である。
【図２】電子スイッチ装置を示す回路図である。
【図３】電子スイッチ装置の動作を説明するためタイミングチャートである。
【図４】変形例としての発振回路を示す回路図である。
【発明を実施するための形態】
【００３０】
以下、本発明の好ましい実施例について、添付図面を参照して説明する。図１は、本発明の一実施形態である電子スイッチ装置１の使用状態を示す模式図である。図１に示すように、電子スイッチ装置１は、電力供給源としての商用交流電源としてのコンセント（図示せず）と、電力使用部としての電子楽器１００との間に介在されて、商用交流電源から電子楽器１００への電力を供給（オン）又は遮断（オフ）するための装置である。電子スイッチ装置１は、ＡＣ入力部２としてのプラグと、ＡＣ出力部３（図２参照）としてのコネクタとを有しており、ＡＣ入力部２がコンセントに接続され、ＡＣ出力部３が電子楽器１００の電源部（図示せず）から延びる電源ケーブル１０１に接続されて使用される。なお、電子スイッチ装置１は電子楽器１００の本体に内蔵されていてもよく、その際には、操作スイッチ５０が電子楽器１００上の適宜箇所（例えば、操作パネル１１０）に取り付けられていてもよい。
【００３１】
電子スイッチ装置１は、機械式スイッチである操作スイッチ５０を有している。この操作スイッチ５０は、アンラッチ型のスイッチ、即ち、非操作時には初期位置に戻るタイプのスイッチである。なお、アンラッチ型のスイッチは、モーメンタリスイッチとも呼ばれることがある。
【００３２】
詳細は後述するが、電子スイッチ装置１は、ＡＣ入力部２がコンセントに接続され、ＡＣ出力部３が電源ケーブル１０１に接続された状態で、使用者が操作スイッチ５０を押す（操作する）と、その押し操作に応じて、商用交流電源から電子楽器１００への電力の供給と遮断とを切り換えることができるように構成されている。なお、本実施形態では、操作スイッチ５０の入力を押し操作（押下）によって行うものとするが、スライド操作など他の動きにより操作入力がされるものであってもよい。
【００３３】
また、電子スイッチ装置１は、コネクタ５１（図２参照）を有している。このコネクタ５１には、例えば、電子楽器１００を制御する制御装置（図示せず）からの制御信号を伝達するためのケーブル１０２が接続される。詳細は後述するが、電子スイッチ装置１は、コネクタ５１を介して電子楽器１００あるいは電子タイマ装置などの他の機器から入力された制御信号（パワーマネジメント入力）によって、商用交流電源から電子楽器１００へ供給していた電力を遮断（オフ）することができるように構成されている。
【００３４】
図２は、電子スイッチ装置１を示す回路図である。電子スイッチ装置１は、商用交流電源に接続されるＡＣ入力部２と、電子楽器１００に接続されるＡＣ出力部３とを有している。ＡＣ入力部２は、第１入力端子２ａと、商用交流電源側の共通端子である第２入力端子２ｂとを有している。ＡＣ出力部３は、第１出力端子３ａと、電力使用部側の共通端子である第２出力端子３ｂとを有している。
【００３５】
第１入力端子２ａと第１出力端子３ａとの間には、電力線４ａが配線されており、この電力線４ａは、操作スイッチ５０の押下、又は、コネクタ５１を介して入力されるパワーマネジメント入力に応じて駆動する開閉回路１０によって導通又は遮断されるように構成されている。一方、第２入力端子２ｂと第２出力端子３ｂとの間には、電力線４ｂが配線されている。
【００３６】
電子スイッチ装置１は、電力線４ａ上の端子１３ａと、電力線４ｂ上の端子１３ｂとから供給される電力により電気的に動作する。なお、端子１３ａは、電力線４ａにおける開閉回路１０を配設した箇所より第１入力端子２ａ側に設けられ、基準電位に接続される。
【００３７】
電子スイッチ装置１は、アンラッチ型の操作スイッチ５０と、トランスＴＲ１とを有している。トランスＴＲ１は、商用交流電源側に位置する一次側コイルＬ１と、一次側コイルＬ１に対して絶縁された二次側コイルＬ２とから構成されている。よって、トランスＴＲ１における二次側コイルＬ２の側には、商用交流電源から供給される高電圧の電流が流れ出すことはなく、使用者は、二次側コイルＬ２の側に設けられている操作スイッチ５０を安全に使用することができる。
【００３８】
一次側コイルＬ１は、後述する共振回路７の一部を構成する。二次側コイルＬ２は、その両端がそれぞれ操作スイッチ５０の各端子に接続されており、操作スイッチ５０の押下により、開放（オープン）又は短絡（ショート）される。詳細は後述するが、本実施形態の電子スイッチ装置１は、二次側コイルＬ２が開放されている場合には、一次側コイルＬ１を含む共振回路７の存在により発振回路６がブロッキング発振し、二次側コイルＬ２が短絡されると該ブロッキング発振が停止するように構成されていると共に、かかるブロッキング発振の有無を利用して、開閉回路１０を駆動して電力線４ａの導通又は遮断するように構成されている。
【００３９】
また、電子スイッチ装置１は、ＡＣ／ＤＣ電圧変換回路５と、発振回路６と、共振回路７と、検出回路８と、ラッチ回路９と、開閉回路１０と、押検出回路１１と、リセット回路１２とを有している。
【００４０】
ＡＣ／ＤＣ変換回路５は、端子１３ａに接続される端子１４ａと、端子１３ｂに接続される端子１４ｂとに、それぞれ接続され、商用交流電源から供給されるＡＣ電圧（例えば、７０〜２９０Ｖ）を、例えば１０ＶのＤＣ電圧に変換し、後段の発振回路６、共振回路７、検出回路８、ラッチ回路９、開閉回路１０、押検出回路１１、リセット回路１３に動作電圧として供給する。なお、図２に示す回路では、端子１４ａが基準電位とされ、端子１４ｂが動作電圧（＋Ｖｃｃ）とされる。
【００４１】
発振回路６は、４つの抵抗Ｒ１〜Ｒ４と、電解コンデンサＣ１と、２つのコンデンサＣ２，５と、ダイオードＤ１と、トランジスタＱ１と、発振部Ｇとから構成される。発振回路６を構成する部品のうち、３つの抵抗Ｒ２〜Ｒ４と、トランジスタＱ１と、発振部Ｇとから構成される回路は、コルピッツ発振回路であり、トランジスタＱ１による増幅と正帰還とにより発振部Ｇが発振し、その発振信号をトランジスタＱ１のエミッタ端子から出力する。
【００４２】
発振部Ｇは、セラロック（登録商標）である。発振部Ｇの内部回路は、図２に示すように、セラミック発振子Ｈと、２つのコンデンサＣ２１，Ｃ２２とから構成され、セラミック発振子Ｈと、直列に接続されたコンデンサＣ２１，Ｃ２２とが並列に接続されている。本実施形態では、発振部Ｇとして、発振周波数が４ＭＨｚのものを使用するが、後述する共振回路７との共振によりブロッキング発振するものであれば、発振部Ｇの発振周波数は特に限定されない。
【００４３】
トランジスタＱ１は、発振部Ｇを発振させるための増幅段として機能するものであり、ＰＮＰ型のトランジスタにより構成される。トランジスタＱ１のエミッタ端子は、発振部ＧにおけるコンデンサＣ２１とコンデンサＣ２２との接続点と、抵抗Ｒ４の一端と、コンデンサＣ５の一端とに接続される。トランジスタＱ１のベース端子は、発振部Ｇにおけるセラミック発振子ＨとコンデンサＣ２２との接続点と、抵抗Ｒ２及び抵抗Ｒ３のそれぞれ一端とに接続される。また、トランジスタＱ１のコレクタ端子は、抵抗Ｒ３の他端に接続される。
【００４４】
抵抗Ｒ２の他端は、発振部Ｇにおけるセラミック発振子ＨとコンデンサＣ２１との接続点と、コンデンサＣ２の一端とに接続される。抵抗Ｒ４の他端は、発振部Ｇにおけるセラミック発振子ＨとコンデンサＣ２１との接続点に接続される。コンデンサＣ２の他端は、抵抗Ｒ１の一端に接続される。抵抗Ｒ１におけるコンデンサＣ２が接続された側の端は、抵抗Ｒ３におけるトランジスタＱ１のコレクタ端子が接続された側の端に接続される。
【００４５】
抵抗Ｒ１の他端は、電解コンデンサＣ１のマイナス側に接続される。電解コンデンサＣ１のプラス側は、＋Ｖｃｃに接続されると共に、コンデンサＣ２における抵抗Ｒ１が接続されていない側の端が接続される。電解コンデンサＣ１及びコンデンサＣ２は、電源平滑用コンデンサとして機能する。ダイオードＤ１は、逆電流を防止するためのものであり、アノードが、電解コンデンサＣ１のマイナス側に接続され、カソードが、基準電位に接続される。コンデンサＣ５の他端は、後述する検出回路８の抵抗Ｒ８に接続される。コンデンサＣ５は、発振回路６から発振された発振信号（ブロッキング発振信号）から直流成分を除き、交流成分を後段の検出回路８へ出力するためのものである。
【００４６】
共振回路７は、上述した発振回路６の発振部Ｇに、寄生の間欠発振であるブロッキング発振を生じさせるための回路であり、コンデンサＣ３と、トランスＴＲ１の一次側コイルＬ１と、上述した発振回路６のトランジスタＱ１とから構成される。
【００４７】
コンデンサＣ３の一端は、トランジスタＱ１のエミッタ端子に接続され、他端は、一次側コイルＬ１の一端に直列接続される。一次側コイルＬ１の他端は、トランジスタＱ１のベース端子に接続される。このように、コンデンサＣ３とコイル（一次側コイルＬ１）とが直列に接続された回路が、発振回路６のトランジスタＱ１のエミッタ端子とベース端子との間に接続されると、発振部Ｇの発振にブロッキング発振を生じさせることができる。
【００４８】
共振回路７は、発振部Ｇの発振周波数（本実施形態では、４ＭＨｚ）に比べて十分に低い共振周波数（例えば、本実施形態では２５０ｋＨｚ程度）で発振するように構成されている。共振回路７の発振周波数を、発振部Ｇの発振周波数より十分に低くすることによって、ブロッキング発振を安定化させることができる。なお、ブロッキング発振を安定化させるためには、共振回路７の共振周波数を、発振部Ｇの発振周波数の少なくとも数分の一以下にすることが好ましい。また、ブロッキング発振の周期が、電子スイッチ装置１の使用者に影響を与えない程度（例えば、数十ｋＨｚ程度）にすることができる周波数を、共振回路７の共振周波数として用いることが好ましい。
【００４９】
本実施形態では、共振回路７の共振周波数を、コンデンサＣ３の容量によって決定し、一次側コイルＬ１のインダクタ値は、発振部Ｇの内部等価回路に現れるインダクタ値とほぼ同じ値とする。これにより、操作スイッチ５０の押下により二次側コイルＬ２を短絡させた場合に、一次側コイルＬ１のインダクタ値を、発振部Ｇの内部等価回路に現れるインダクタ値より小さくすることができるので、発振部Ｇの発振動作を停止させることができ、ブロッキング発振を停止することができる。よって、操作スイッチ５０の押下に応じた二次側コイルＬ２の開放と短絡とを、ブロッキング発振の有無（即ち、発振回路６からのブロッキング発振信号の出力の有無）に反映させることができる。
【００５０】
本実施形態の電子スイッチ装置１は、共振回路７の存在によって発振回路６から出力されるブロッキング発振信号の有無を後段の検出回路８によって検出し、その検出結果（検出回路８からの出力）に基づいて開閉回路１０による電力線４ａの導通と遮断とを切り換えるように構成されている。また、共振回路７を設けて発振回路６においてブロッキング発振を生じさせることにより、発振回路６の通常発振（コルピッツ発振回路による発振）の電圧振幅（波高）に比べ、十分に大きい電圧振幅を得ることができるので、後段の検出回路８による発振の検出を精度よく行うことができる。
【００５１】
検出回路８は、６つの抵抗Ｒ８〜Ｒ１３と、ダイオードＤ２と、コンデンサＣ７と、２つのトランジスタＱ２，Ｑ３とから構成され、発振回路６からの出力（ブロッキング発振信号）の状態に応じて、後段のラッチ回路９へ出力のハイとローとを切り換える、所謂、フリップフロップ回路である。
【００５２】
トランジスタＱ２は、発振回路６から出力された発振信号に応じてオンとオフとを切り換えるためのものであり、ＰＮＰ型のトランジスタにより構成される。トランジスタＱ２のエミッタ端子は、＋Ｖｃｃに接続されている。トランジスタＱ２のベース端子は、抵抗Ｒ８及び抵抗Ｒ９のそれぞれ一端と、ダイオードＤ２のアノードとに接続される。トランジスタＱ２のコレクタ端子は、後述する押検出回路１１を構成するトランジスタＱ６のベース端子に接続される。
【００５３】
抵抗Ｒ９の他端は、＋Ｖｃｃに接続され、抵抗Ｒ８の他端は、コンデンサＣ５（発振回路６）におけるトランジスタＱ１のエミッタ端子が接続されていない側の端が接続される。また、ダイオードＤ２のカソードは、＋Ｖｃｃに接続される。コンデンサＣ７は、ＡＣ入力部２を商用交流電源に接続した時（以下、この時を「電源投入時」と称す）おける検出回路８の応答時間を遅延させるためのものであり、一端が＋Ｖｃｃに接続され、他端が、トランジスタＱ２のコレクタ端子に接続される。
【００５４】
トランジスタＱ３は、トランジスタＱ２がオンであるかオフであるかに応じて、オンとオフとを切り換えるためのものであり、ＰＮＰ型のトランジスタにより構成される。トランジスタＱ３のエミッタ端子は、＋Ｖｃｃに接続される。トランジスタＱ３のベース端子は、抵抗Ｒ１０の一端と抵抗Ｒ１１の一端とにそれぞれ接続される。トランジスタＱ３のコレクタ端子は、抵抗Ｒ１３の一端に接続される。抵抗Ｒ１０の他端は、＋Ｖｃｃに接続される。抵抗Ｒ１１の他端は、抵抗Ｒ１２の一端に接続されると共に、トランジスタＱ２のコレクタ端子に接続される。Ｒ１２の他端及びＲ１３の他端は共に基準電位に接続される。これにより、＋Ｖｃｃは、抵抗Ｒ１０と、抵抗Ｒ１１，Ｒ１２に応じて分圧される。
【００５５】
ラッチ回路９は、ＩＣ１と、コンデンサＣ９，Ｃ１０と、抵抗Ｒ１４とから構成され、検出回路８（トランジスタＱ３のコレクタ端子）からの出力がローからハイに立ち上がる毎に、その立ち上がりエッジに基づいて後段の開閉回路１０への出力を反転させると共に、出力の状態を、検出回路８からの出力が次にローからハイに立ち上がるときまで保持する回路である。
【００５６】
ＩＣ１は、ポジティブエッジトリガ形のＤ型フリップフロップとして構成されたロジックＩＣであり、クロック端子である端子ＣＫと、入力端子である端子Ｄと、出力端子である端子Ｑと、反転出力端子である端子ＱＮと有している。端子ＣＫに入力されるクロック信号の立ち上がりエッジに同期して、端子Ｄへの入力がラッチ（保持）され、端子Ｑから出力されると共に、端子ＱＮから反転出力される。
【００５７】
ＩＣ１において、端子ＣＫは、検出回路８におけるトランジスタＱ３のコレクタ端子に接続され、該トランジスタＱ３からの出力がクロック信号として入力される。端子Ｄには端子ＱＮが接続されており、端子ＱＮから出力された反転出力が、端子Ｄに入力される。
【００５８】
これにより、端子Ｑからの出力がハイであり、端子ＱＮからの出力がローである状態において、検出回路８からの出力、より具体的には、トランジスタＱ３のコレクタ端子からの出力がローからハイに立ち上がると、端子Ｄには、端子ＱＮからの出力であるローが入力されているので、端子Ｑからの出力はハイからローに反転され、端子ＱＮからの出力はローからハイに反転される。そして、検出回路８からの出力が次にローからハイに立ち上がったときには、端子ＱＮから端子Ｄに入力されているのはハイであるので、端子Ｑからの出力はローからハイに反転され、端子ＱＮからの出力はハイからローに反転される。
【００５９】
また、ＩＣ１は、クリア端子である端子ＣＬＲと、プリセット端子である端子ＰＲとを有しており、端子ＣＬＲは、＋Ｖｃｃに接続され、端子ＰＲは、後述するリセット回路１２を構成するトランジスタＱ４のコレクタ端子に接続される。詳細は後述するが、リセット回路１２は、電源投入時（即ち、ＡＣ入力部２を商用交流電源に接続した時）に所定期間に亘りローを出力するように構成されている。Ｄ型フリップフロップの特徴として、端子ＰＲにローが入力される場合には、その入力が端子Ｄや端子ＣＫへの入力より優先されるので、電源投入時には、端子Ｑからの出力がハイであり、端子ＱＮからの出力がローに初期化される。
【００６０】
ＩＣ１は、端子ＶＣＣと、端子ＧＮＤとを有している。ＩＣ１は、端子Ｖｃｃ及び端子ＧＮＤは両方とも、＋Ｖｃｃと基準電位とを結ぶ配線上に接続されており、これにより、動作電圧がＩＣ１に印加され、ＩＣ１が駆動する。
【００６１】
端子Ｖｃｃと端子ＧＮＤとの間には、ノイズ防止用のコンデンサＣ９の各端が接続されている。抵抗Ｒ１４の一端は、端子ＰＲに接続され、他端は、基準電位に接続される。コンデンサＣ１０は、抵抗Ｒ１４に並列に接続されている。かかる接続がされたコンデンサＣ１０は、ＡＣ入力部２を商用交流電源に接続すると電荷が蓄電され、ＡＣ入力部２と商用交流電源から取り外されると放電される。よって、電源投入時からコンデンサＣ１０が蓄電されるまでの期間、後述するリセット回路１２のトランジスタＱ４からの出力を端子ＰＲに入力させることを遅延させることができる。
【００６２】
開閉回路１０は、ラッチ回路９の端子Ｑからの出力又は後述する押検出回路１１からの出力（トランジスタＱ６のエミッタ端子からの出力）の状態に基づいて、電力線４ａの導通と遮断とを切り換える回路である。この開閉回路１０は、５つの抵抗Ｒ２２〜Ｒ２６と、トランジスタＱ９と、ダイオードＤ８と、弁回路１０ａとから構成される。
【００６３】
トランジスタＱ９は、ラッチ回路９の端子Ｑからの出力の状態と、後述する押検出回路１１からの出力の状態とに応じて、オンとオフとを切り換えるためのものであり、ＰＮＰ型のトランジスタにより構成される。トランジスタＱ９のエミッタ端子は抵抗Ｒ２４の一端に接続される。トランジスタＱ９のベース端子は、抵抗Ｒ２３の一端に接続される。トランジスタＱ９のコレクタ端子は、逆電流防止用のダイオードＤ８のアノードに接続される。
【００６４】
抵抗Ｒ２４におけるトランジスタＱ９が接続されていない側の端は、抵抗Ｒ２２の一端に接続される。抵抗Ｒ２４と抵抗Ｒ２２との接続点は、抵抗Ｒ２３とトランジスタＱ９との接続点とに接続される。抵抗Ｒ２２における抵抗Ｒ２４が接続されていない側の端は、ラッチ回路の端子Ｑに接続される。抵抗Ｒ２３におけるトランジスタＱ９が接続されていない側の端は、後述する押検出回路１１におけるトランジスタＱ６のエミッタ端子に接続される。
【００６５】
上述の通りに配線されたトランジスタＱ９及び抵抗Ｒ２２〜Ｒ２４は優先手段を構成し、ラッチ回路９（ＩＣ１の端子Ｑ）の出力がハイであってもローであっても、押検出回路１１（トランジスタＱ６のエミッタ端子）からの出力がローであれば、トランジスタＱ９をオンにすることができる。
【００６６】
ダイオードＤ８のカソードは、抵抗Ｒ２５の一端が接続され、抵抗Ｒ２５の他端は、抵抗Ｒ２６の一端に接続される。抵抗Ｒ２６の他端は、弁回路１０ａにおける２つの電解効果トランジスタＱ８，Ｑ１０の各ゲート電極の間に接続される。
【００６７】
弁回路１０ａは、トランジスタＱ９がオンである場合に電力線４ａを導通させ、トランジスタＱ９がオフである場合に電力線４ａを遮断する回路であり、２つの電解効果トランジスタＱ８，Ｑ１０と、抵抗Ｒ２７と、コンデンサＣ１３と、ツェナーダイオードＤ７と、２つのコイルＬ３，Ｌ４とにより構成される。
【００６８】
電解効果トランジスタＱ８，Ｑ１０は、いずれも、金属酸化物型の電解効果トランジスタ（ＭＯＳ−ＦＥＴ）から構成される。本実施形態では、電解効果トランジスタＱ８，Ｑ１０として、ｎチャネルのディプレッション型ＭＯＳ−ＦＥＴを用いている。これらの電解効果トランジスタＱ８，Ｑ１０は、トランジスタＱ９がオンになった場合に、該トランジスタＱ９から流入する電流によってオンとなる。電解効果トランジスタＱ８，Ｑ１０がオンになった場合に、電力線４ａは導通状態となり、ＡＣ入力部２を介して接続された商用交流電源からの電力を、ＡＣ出力部３を介して電子楽器１００に供給することができる。
【００６９】
電解効果トランジスタＱ８のゲート電極は、電解効果トランジスタＱ１０のゲート電極に接続され、電解効果トランジスタＱ８のソース電極は、電解効果トランジスタＱ１０のソース電極に接続される。即ち、電解効果トランジスタＱ８と電解効果トランジスタＱ１０は、並列に接続されている。
【００７０】
電解効果トランジスタＱ８のドレイン電極は、コイルＬ３の一端に接続され、コイルＬ３の他端は、電力線４ａを介してＡＣ入力部２の第１入力端子２ａに接続されている。一方、電解効果トランジスタＱ１０のドレイン電極は、コイルＬ４の一端に接続され、コイルＬ４の他端は、電力線４ａを介してＡＣ出力部３の第１出力端子３ａに接続されている。
【００７１】
抵抗Ｒ２７は、一端が電解効果トランジスタＱ８，Ｑ１０のゲート電極に接続され、他端がソース電極に接続される。コンデンサＣ１３もまた、一端が電解効果トランジスタＱ８，Ｑ１０のゲート電極に接続され、他端がソース電極に接続される。コンデンサＣ１３は、電解効果トランジスタＱ８，Ｑ１０がオンされた際に誤作動を防止するための遅延時間を作る機能を果たす。ツェナーダイオードＤ７は、弁回路１０ａを保護するためのものであり、カソードが電解効果トランジスタＱ８，Ｑ１０のゲート電極に接続され、アノードがソース電極に接続される。
【００７２】
押検出回路１１は、操作スイッチ５０の押下（操作）中であるか否かを検出する回路であり、１のトランジスタＱ６と、上述した検出回路８の一部構成（トランジスタＱ２、抵抗Ｒ８，Ｒ９、コンデンサＣ７、ダイオードＤ２）とから構成される。
【００７３】
トランジスタＱ６は、検出回路８におけるトランジスタＱ２のコレクタ端子からの出力の状態に応じて、オンとオフとを切り換えるためのものであり、ＰＮＰ型のトランジスタにより構成される。
【００７４】
トランジスタＱ６のエミッタ端子は、抵抗Ｒ２３（開閉回路１０の一部）におけるトランジスタＱ９に接続されていない側の端に接続され、ベース端子は、検出回路８におけるトランジスタＱ２のコレクタ端子に接続される。トランジスタＱ６のコレクタ端子は、基準電位に接続される。
【００７５】
リセット回路１２は、電源投入時（即ち、ＡＣ入力部２を商用交流電源に接続した時）、又は、電子楽器１００の制御装置からの入力信号（パワーマネジメント入力）があった場合に、ラッチ回路９のプリセット端子（端子ＰＲ）にローを入力するための回路である。このリセット回路１２は、トランジスタＱ４と、５つの抵抗Ｒ１５〜Ｒ１９と、コンデンサＣ１１と、ダイオードＤ６と、フォトカプラ１２ａとから構成される。
【００７６】
トランジスタＱ４は、ベース端子の状態に応じてオンとオフとを切り換えるためのものであり、ＰＮＰ型のトランジスタにより構成される。トランジスタＱ４のエミッタ端子は、＋Ｖｃｃに接続され、ベース端子は、フォトカプラ１２ａにおけるフォトトランジスタＱ１１のエミッタ端子に接続される。トランジスタＱ４のコレクタ端子は、ラッチ回路９の端子ＰＲに接続される。
【００７７】
抵抗Ｒ１７は、一端がトランジスタＱ４のベース端子に接続され、他端が抵抗Ｒ１６の一端に接続される。抵抗Ｒ１６の他端は、逆流電流防止用のダイオードＤ６のアノードに接続される。ダイオードＤ６のカソードは、抵抗Ｒ１５の一端に接続され、抵抗Ｒ１５の他端は、基準電位に接続される。
【００７８】
抵抗Ｒ１８は、一端がトランジスタＱ４のベース端子に接続され、他端がトランジスタＱ４のエミッタ端子に接続される。コンデンサＣ１１は、ＡＣ入力部２を商用交流電源に接続してから、ラッチ回路９の端子ＰＲ（プリセット端子）へハイが出力されるまでの期間を遅延させるためのものであり、一端が、抵抗Ｒ１８におけるトランジスタＱ４のエミッタ端子が接続された側に接続され、他端が、抵抗Ｒ１７におけるトランジスタＱ４のベース端子が接続されていない側に接続される。抵抗Ｒ１９は、コンデンサＣ１１に並列に接続される。なお、このコンデンサＣ１１による遅延時間は、上述したラッチ回路９のコンデンサ１０による遅延時間より長くなるよう設計されている。
【００７９】
フォトカプラ１２ａは、発光素子である発光ダイオードＤ９と、受光素子であるフォトトランジスタＱ１１とから構成される。発光ダイオードＤ９は、アノードが、電子楽器１００からケーブル１０２が接続されるコネクタ５１における端子５１ａに接続され、カソードが、端子５１ｂに接続される。フォトトランジスタＱ１１のコレクタ端子は＋Ｖｃｃに接続され、エミッタ端子はリセット回路１２におけるトランジスタＱ４のベース端子に接続される。
【００８０】
フォトカプラ１２ａは、電子楽器１００の制御装置あるいは他の機器から制御信号の入力（パワーマネジメント入力）があると発光ダイオードＤ９が発光し、その発光によりフォトトランジスタＱ１１がオンになり、エミッタ端子からハイを出力する。これにより、リセット回路１２のトランジスタＱ４がオフされて、トランジスタＱ４のコレクタ端子からＩＣ１（ラッチ回路９）の端子ＰＲへローが出力される。すると、ＩＣ１の端子Ｑからハイが出力されて、結果として、弁回路１０ａの電解効果トランジスタＱ８，Ｑ１０がオフとなり、電子楽器１００への電力供給が遮断（オフ）される。
【００８１】
次に、図３を参照して、上記構成を有する電子スイッチ装置１の動作を説明する。図３は、電子スイッチ装置１の動作を説明するためタイミングチャートである。なお、図３において、（ａ）は、ＡＣ入力の状態を示し、具体的には、ＡＣ入力部２が商用交流電源に接続されたか否かを示す。（ｂ）は、操作スイッチ５０の操作状態（トランスＴＲ１の二次側コイルＬ２の状態）を示す。（ｃ）は、発振回路６からの出力であって、図１におけるＡ点の状態を示す。（ｄ）は、検出回路８の出力であって、図１におけるＢ点の状態を示す。（ｅ）は、ラッチ回路９の出力であって、図１におけるＣ点の状態を示す。（ｆ）は、押検出回路１１の出力であって、図１におけるＤ点の状態を示す。（ｇ）は、電子楽器１００の制御装置からのパワーマネジメント入力であって、図１におけるＥ点の状態を示す。（ｈ）は、（ｈ）リセット回路１２からの出力であって、図１におけるＦ点の状態を示す。（ｉ）は、ＡＣ出力の状態を示し、具体的には、ＡＣ入力部３から電子楽器１００への電力供給が行われている（即ち、ＯＮ）か、遮断されている（即ち、ＯＦＦ）かを示す。
【００８２】
時刻ｔ０において、操作スイッチ５０が押下されることなく（即ち、操作スイッチ５０から手を離した状態で）、ＡＣ入力部２が商用交流電源に接続されて電源投入される場合、リセット回路１２では、動作電圧＋Ｖｃｃに基づいて、放電されているコンデンサＣ１１に電流が流れ、該コンデンサＣ１１には徐々に電荷が蓄電される。このとき、トランジスタＱ４のベース端子及びエミッタ端子の電位は等しいので、トランジスタＱ４はオフとなる。これにより、時刻ｔ０におけるＦ点での出力はローとなる。
【００８３】
リセット回路１２からラッチ回路９への出力は、ＩＣ１の端子ＰＲ（プリセット端子）に入力される。よって、時刻ｔ０においてＩＣ１の端子ＰＲにローが入力されると、ＩＣ１の端子Ｑからの出力は優先的にハイとなる。即ち、時刻ｔ０におけるＩＣ１の端子Ｑからの出力、即ち、Ｃ点での出力はハイとなる。
【００８４】
その後、時刻ｔ１（例えば、電源投入から０．５秒後の時刻）において、リセット回路１２のコンデンサＣ１１に蓄電された電荷量が所定の閾値に達すると、抵抗Ｒ１８の端子間に電圧が印加されるようになるので、かかる抵抗Ｒ１８の端子間の電位差によってトランジスタＱ４がオンとなる。よって、時刻ｔ１において、リセット回路１２からラッチ回路９への出力、即ち、Ｆ点での出力はハイとなり、ＩＣ１の端子ＰＲにはハイが入力される。これにより、時刻ｔ１以降、ラッチ回路９におけるＩＣ１の端子Ｑからの出力（即ち、Ｃ点での出力）は、端子ＣＫに入力される信号の状態に応じて変化することになる。
【００８５】
一方で、時刻ｔ０において、操作スイッチ５０が押下されることなく、ＡＣ入力部２が商用交流電源に接続されて電源投入された場合には、動作電圧＋Ｖｃｃが抵抗Ｒ２と抵抗Ｒ３とにより分圧される。この分圧による抵抗Ｒ２の端子間の電位差によってトランジスタＱ１がオンとなる。
【００８６】
トランジスタＱ１がオンになると、コルピッツ発振回路（トランジスタＱ１、発振部Ｇ、抵抗Ｒ２〜Ｒ４）の発振が開始される。時刻ｔ０では、操作スイッチ５０が押下されておらず、トランスＴＲ１における二次側コイルＬ２が開放されているので、共振回路７（トランジスタＱ１、コンデンサＣ３、一次側コイルＬ１）の発振により、コルピッツ発振回路においてブロッキング発振が生じる。このブロッキング発振の信号は、コンデンサＣ５によって直流成分が分離された交流成分が、検出回路８に入力される。よって、Ａ点では出力信号（ブロッキング発振信号）が検出される。
【００８７】
共振回路７の存在により発振回路６で生じたブロッキング発振は、検出回路８に入力される。発振回路６から出力されるブロッキング発振は、発振初期においては電圧振幅が十分に大きくなく、抵抗Ｒ８，Ｒ９間に十分な電位差が生じないので、トランジスタＱ２はオンとならない。しかし、電源投入前はコンデンサＣ７が放電されているので、電源投入時（時刻ｔ０）には、抵抗Ｒ１０，抵抗Ｒ１１の両端間の電位差が等しくなり、トランジスタＱ３がオフとなる。よって、時刻ｔ０におけるＢ点の状態はローとなる。
【００８８】
その後、ブロッキング発振信号の電圧振幅が十分に大きくなると、抵抗Ｒ８，Ｒ９の間に電位差が生じ、抵抗Ｒ９の両端に生じた電位差がトランジスタＱ２のベース−エミッタ間電圧（通常、０．６〜０．７Ｖ）を超えるようになると、トランジスタＱ２がオンとなる。
【００８９】
なお、電源が投入されてからコンデンサＣ７に所定の電荷量が蓄電されるまでの時間（遅延時間）は、ブロッキング発振信号が発振を開始してから、その電圧振幅が検出回路８により検出されるのに十分な大きさとなるまでの時間（発振安定時間）より十分に大きく設定されている。よって、電源投入後、コンデンサＣ７に所定の電荷量が蓄電されたことによってトランジスタＱ３がオンになってしまう前に、ブロッキング発振信号の電圧振幅が十分に大きくなりトランジスタＱ２がオンになると共に、コンデンサＣ７が放電されるので、電源投入時にＢ点の状態がハイになることはない。
【００９０】
検出回路８からラッチ回路９への出力は、ＩＣ１の端子ＣＫ（クロック端子）にクロック信号として入力される。ラッチ回路９のＩＣ１はポジティブエッジトリガ形のＤ型フリップフロップとして構成されているので、端子ＣＫにローが入力される場合には、端子Ｑからの出力は変化しない。また、上述した通り、時刻ｔ０では、リセット回路１２からＩＣ１の端子ＰＲにローが入力されて、優先的にハイに初期化されているので、時刻ｔ０におけるラッチ回路９から開閉回路１０への出力、即ち、Ｃ点の状態はハイとなる。
【００９１】
一方、時刻ｔ０において電源が投入されると、ブロッキング発振信号の電圧振幅が十分に大きくなるまでは、電源投入前に放電されていたコンデンサＣ７により、トランジスタＱ６のベース端子の電位が＋Ｖｃｃに近い値となる。よって、電源投入時（時刻ｔ０）においてトランジスタＱ６のエミッタ端子の電位は上がり、Ｄ点の状態はハイとなる。
【００９２】
その後、コンデンサＣ７に徐々に電荷が蓄電されていくと、それに伴ってトランジスタＱ６のベース端子の電位が徐々に下がり、トランジスタＱ６のエミッタ端子の電位も下がる。しかし、上述した通り、コンデンサＣ７による遅延時間が発振安定時間より十分に大きく設定されているので、トランジスタＱ６のエミッタ端子の電位が下がる前に、ブロッキング発振信号の電圧振幅が十分に大きくなってトランジスタＱ２がオンになる。それにより、トランジスタＱ６のベース端子の電位が再び＋Ｖｃｃに近づくので、トランジスタＱ６のエミッタ端子の電位を上げることができ、Ｄ点の状態もハイを維持する。
【００９３】
開閉回路１０では、ラッチ回路９からの出力がハイであり、押検出回路１１からの出力がハイである場合には、抵抗Ｒ２２から抵抗Ｒ２４の各抵抗における端子間の電位差が小さくなるので、トランジスタＱ９がオフとなる。
【００９４】
トランジスタＱ９がオフである場合には、弁回路１０ａに電流が流れないので、電解効果トランジスタＱ８，Ｑ１０は、ゲート電圧（ゲート電極−ソース電極間の電圧）は０Ｖとであることによりオンされない（即ち、オフである）。よって、時刻ｔ０では、電解効果トランジスタＱ８，Ｑ１０はオフであるので、電力線４ａは導通されず（遮断され）、ＡＣ出力部３からの出力は０Ｖ（即ち、オフ）となる。
【００９５】
このように、本実施形態の電子スイッチ装置１によれば、電源投入後にリセット回路１２からＩＣ１（ラッチ回路９）の端子ＰＲにハイが出力されることをコンデンサＣ１１により遅延させている、即ち、電源投入時にはリセット回路１２から端子ＰＲにローが入力されるように構成されている。これにより、電源投入時にラッチ回路９（ＩＣ１の端子Ｑ）からハイを出力させることができる。一方で、操作スイッチ５０が押下されていなければ、検出回路８のコンデンサＣ７による遅延により、電源投入時に押検出回路１１からローが出力されないように構成されている。従って、操作スイッチ５０を押下することなく電源投入した場合には、電力線４ａが導通されることはなく、ＡＣ出力部３からの出力を必ずオフにすることができる。
【００９６】
時刻ｔ２において操作スイッチ５０が押下（操作）されると、トランスＴＲ１における二次側コイルＬ２が短絡される。それにより、一次側コイルＬ１のインダクタ値が次第に減少し、コルピッツ発振回路（発振部Ｇ）の発振が徐々に停止される。その結果、発振回路６からの出力は、操作スイッチ５０が押下された時刻ｔ２より少し遅れた時刻ｔ３において所定レベル以下（例えば、０Ｖ）となる。
【００９７】
時刻ｔ３において、発振回路６からの出力が所定レベル以下になると、抵抗Ｒ８，Ｒ９間の電位差が小さくなるので、トランジスタＱ２はオフとなる。トランジスタＱ２がオフになると、動作電圧＋Ｖｃｃが、抵抗Ｒ１０と、抵抗Ｒ１１と、抵抗Ｒ１２とにより分圧されることになり、その結果、抵抗Ｒ１０の両端間の電位差がトランジスタＱ３のベース−エミッタ間電圧より大きくなり、トランジスタＱ３はオンとなる。これにより、時刻ｔ３において、検出回路８からラッチ回路９への出力、即ち、Ｂ点の状態はローからハイに切り換わる。
【００９８】
よって、時刻ｔ３において、ＩＣ１の端子ＣＫへの入力がローからハイに立ち上がると、その立ち上がりエッジに同期して、端子Ｑからそれまで出力されていたハイからローに切り換わる。その結果、時刻ｔ３におけるラッチ回路９から開閉回路１０への出力、即ち、Ｃ点での出力はハイからローに切り換わる。
【００９９】
一方、時刻ｔ３において、トランジスタＱ２がオフになったことにより、押検出手段１１のトランジスタＱ６のベース端子の電位が下がり、その結果、トランジスタＱ６のエミッタ端子の電位は下がる。これにより、Ｄ点の状態はローとなる。
【０１００】
開閉回路１０では、ラッチ回路９からの出力がローであり、押検出回路１１からの出力がローである場合には、抵抗Ｒ２４の両端子間の電位差がトランジスタＱ９のベース−エミッタ間電圧より大きくなることになり、トランジスタＱ９がオンとなる。
【０１０１】
トランジスタＱ９がオンである場合には、弁回路１０ａに電流が流れるので、電解効果トランジスタＱ８，Ｑ１０のゲート電圧が上がり、その結果、電解効果トランジスタＱ８，Ｑ１０がオンとなる。よって、時刻ｔ３において、電解効果トランジスタＱ８，Ｑ１０はオンになるので、電力線４ａが導通し、それにより、ＡＣ出力部３から電力が出力される（即ち、オンとなる）。
【０１０２】
その後、時刻ｔ４において、操作スイッチ５０が押下されなくなる（操作スイッチ５０から手が離される）と、二次側コイルＬ２が開放されるので、発振回路６からは再びブロッキング発振の出力が開始され、時刻ｔ５において、発振回路６から出力されるブロッキング発振の電圧振幅が十分な大きさになると、検出回路８のトランジスタＱ２がオンになり、それに伴い、トランジスタＱ３がオフになる。その結果、時刻ｔ５において、検出回路８からラッチ回路９への出力、即ち、Ｂ点の状態はハイからローに切り換わる。
【０１０３】
ポジティブエッジトリガ形であるＩＣ１の端子ＣＫに、ハイからローへの立ち下がりエッジが入力されても、端子Ｑからの出力は変化しない。よって、時刻ｔ５における、ラッチ回路９から開閉回路１０への出力、即ち、Ｃ点での出力はローのままである。
【０１０４】
一方、操作スイッチ５０が押下されなくなったことにより、時刻ｔ５において、検出回路８のトランジスタＱ２がオフからオンに切り換わると、押検出回路１１のトランジスタＱ６のエミッタ端子の電位も上がる。よって、時刻ｔ５において、押検出回路１１から開閉回路１０への出力、即ち、Ｄ点における出力はローからハイに切り換わる。
【０１０５】
開閉回路１０では、ラッチ回路９からの出力がローであり、押検出回路１１からの出力がハイである場合には、抵抗Ｒ２４の両端子間に生じる電位差により、トランジスタＱ９はオンとなる。つまり、時刻ｔ５においても、トランジスタＱ９はオンのままであり、その結果、弁回路１０ａの電解効果トランジスタＱ８，Ｑ１０もまたオンのまま変化せず、ＡＣ出力部３からは電力が出力され続ける。
【０１０６】
その後、時刻ｔ６において、操作スイッチ５０が二度目に押下された場合、二次側コイルＬ２が短絡されたことにより、時刻ｔ７において、発振回路６からの出力が所定レベル以下となる。
【０１０７】
発振回路６からの出力が所定レベル以下になると、検出回路８のトランジスタＱ２がオフとなり、それに伴い、トランジスタＱ３がオンとなる。よって、時刻ｔ７において、検出回路８からラッチ回路９への出力、即ち、Ｂ点の状態はローからハイに切り換わる。
【０１０８】
これにより、ＩＣ１の端子ＣＫへの入力がローからハイに立ち上がるので、その立ち上がりエッジに同期して、ＩＣ１の端子Ｑからの出力が反転されてローからハイに切り換わる。その結果、時刻ｔ７におけるラッチ回路９から開閉回路１０への出力、即ち、Ｃ点での出力はローからハイに切り換わる。
【０１０９】
一方、操作スイッチ５０が押下されたことにより、時刻ｔ７において、検出回路８のトランジスタＱ２がオンからオフに切り換わると、押検出回路１１のトランジスタＱ６のエミッタ端子の電位も下がる。よって、時刻ｔ７において、押検出回路１１から開閉回路１０への出力、即ち、Ｄ点における出力はハイからローに切り換わる。
【０１１０】
開閉回路１０では、ラッチ回路９からの出力がハイであり、押検出回路１１からの出力がローである場合には、抵抗Ｒ２４における両端子間に生じる電位差により、トランジスタＱ９はオンとなる。つまり、時刻ｔ７においても、トランジスタＱ９はオンのままであり、その結果、弁回路１０ａの電解効果トランジスタＱ８，Ｑ１０もまたオンのまま変化せず、ＡＣ出力部３からは電力が出力され続ける。
【０１１１】
その後、時刻ｔ８において、操作スイッチ５０が押下されなくなり、二次側コイルＬ２が開放されると、発振回路６からは再びブロッキング発振の出力が開始される。そして、時刻ｔ９において、その電圧振幅が十分な大きさになると、検出回路８のトランジスタＱ２がオンになり、それに伴い、トランジスタＱ３がオフになる。その結果、時刻ｔ９において、検出回路８からラッチ回路９への出力、即ち、Ｂ点の状態はハイからローに切り換わる。
【０１１２】
これにより、ＩＣ１の端子ＣＫへの入力がハイからローに立ち下がるが、端子ＣＫに立ち下がりエッジが入力されても、端子Ｑからの出力は変化しないので、端子Ｑからの出力は変化しない。よって、時刻ｔ９におけるラッチ回路９から開閉回路１０への出力、即ち、Ｃ点での出力はハイのままである。
【０１１３】
一方、操作スイッチ５０が押下されなくなったことにより、時刻ｔ９において、検出回路８のトランジスタＱ２がオフからオンに切り換わると、押検出回路１１のトランジスタＱ６のエミッタ端子の電位も上がる。よって、時刻ｔ９において、押検出回路１１から開閉回路１０への出力、即ち、Ｄ点における出力はローからハイに切り換わる。
【０１１４】
開閉回路１０では、ラッチ回路９からの出力がハイであり、押検出回路１１からの出力がハイである場合には、トランジスタＱ９がオフになり、その結果として、弁回路１０ａの電解効果トランジスタＱ８，Ｑ１０がオフとなる。よって、時刻ｔ９において、ＡＣ出力部３からの出力は０Ｖ（即ち、オフ）となる。
【０１１５】
その後、時刻ｔ１０において、操作スイッチ５０が三度目に押下されると、時刻ｔ２のときと同様に、二次側コイルＬ２が短絡された結果、時刻ｔ１１において、発振回路６からの出力は所定レベル以下となる。よって、時刻ｔ１１において、検出回路８からラッチ回路９への出力、即ち、Ｂ点の状態はローからハイに切り換わる。これにより、ラッチ回路９におけるＩＣ１の端子Ｑからの出力が反転される。よって、時刻ｔ１１において、ラッチ回路９から開閉回路１０への出力（Ｃ点での出力）はハイからローに切り換わる。
【０１１６】
その一方で、操作スイッチ５０が押下されると、押検出回路１１のトランジスタＱ６のエミッタ端子の電位は下がるので、時刻ｔ１１において、押検出回路１１から開閉回路１０への出力、即ち、Ｄ点における出力はハイからローに切り換わる。
【０１１７】
開閉回路１０では、ラッチ回路９からの出力がハイであり、押検出回路１１からの出力がローである場合には、トランジスタＱ９がオンになり、それに伴い、弁回路１０ａの電解効果トランジスタＱ８，Ｑ１０がオンとなる。よって、時刻ｔ１１において、再び、ＡＣ出力部３から電力が出力される（即ち、オンとなる）。
【０１１８】
その後、時刻ｔ１２において、操作スイッチ５０が押下されなくなると、時刻ｔ４のときと同様に、発振回路６からブロッキング発振が出力され、時刻ｔ１３において、その電圧振幅が十分な大きさとなると、検出回路８からラッチ回路９への出力（即ち、Ｂ点における出力）はハイからローに切り換わる。よって、ＩＣ１の端子ＣＫへの入力がハイからローに立ち下がるが、かかる場合には、端子Ｑからの出力は変化しないので、時刻ｔ１３におけるラッチ回路９から開閉回路１０への出力はローのまま変化しない。
【０１１９】
その一方で、操作スイッチ５０が押下されなくなると、押検出回路１１のトランジスタＱ６のエミッタ端子の電位は上がるので、時刻ｔ１３において、押検出回路１１から開閉回路１０への出力はローからハイに切り換わる。
【０１２０】
開閉回路１０では、ラッチ回路９からの出力がローであり、押検出回路１１からの出力がハイである場合には、トランジスタＱ９がオンになる。即ち、時刻１３において、トランジスタＱ９がオンのまま変化しないので、弁回路１０ａの電解効果トランジスタＱ８，Ｑ１０もオンのままであり、その結果として、ＡＣ出力部３からは電力が出力されたまま（即ち、オンのまま）となる。
【０１２１】
電子楽器１００の不使用時間が所定時間を超えた場合に、該電子楽器１００の制御装置（ＣＰＵ）は、電子スイッチ装置１００へパワーマネジメント入力を行う。このパワーマネジメント入力が、時刻ｔ１４においてコネクタ５１を介して入力された場合、フォトカプラ１２ａにおけるフォトトランジスタＱ１１がオンとなり、それにより、Ｅ点における入力はハイとなる。その結果、トランジスタＱ４のベース端子の電位が高くなり、トランジスタＱ４のベース端子とエミッタ端子との間にかかる電圧が、トランジスタＱ４のベース−エミッタ間電圧より低くなり、その結果として、トランジスタＱ４はオフとなる。よって、時刻ｔ１４におけるＦ点での出力はローとなる。
【０１２２】
トランジスタＱ４がオフになったことにより、ラッチ回路９におけるＩＣ１の端子ＰＲにはロー入力されるので、ＩＣ１の端子Ｑからの出力は優先的にハイとなる。よって、時刻ｔ１４におけるＣ点での出力はハイとなる。
【０１２３】
よって、時刻ｔ１４において、開閉回路１０では、ラッチ回路９からの出力がハイである。一方、操作スイッチ５０が押下されていないので、押検出回路１１からの出力もハイである。その結果、トランジスタＱ９はオフとなり、その結果、電解効果トランジスタＱ８，Ｑ１０がオフとなる。このように、パワーマネジメント入力があった時刻ｔ１４では、ＡＣ出力部３からの出力はオフとなる。
【０１２４】
電子楽器１００からのパワーマネジメント入力によりＡＣ出力部３からの出力をオフした後は、操作スイッチ５０の押下を待機する状態となるが、ラッチ回路９からの出力がハイに戻された状態で待機しているので、操作スイッチ５０の次の押下をスイッチオンの操作として扱うことができる。よって、使用者が操作スイッチ５０を押下しても電子楽器１００に電力が供給されないことを防ぐことができる。
【０１２５】
以上説明した通り、本実施形態の電子スイッチ装置１によれば、トランスＴＲ１における１次側コイルＬ１を共振回路７におけるコイルとして用いることにより、操作スイッチ５０の操作の有無を、ブロッキング発振の状態に反映させ、商用交流電源からの電力を電子楽器１００へ供給したり遮断したりすることができる。ここで、操作スイッチ５０を、一次側コイルＬ１に対して絶縁された二次側コイルＬ２の側に設けるので、各国の安全規格に準拠しない安価な操作スイッチ部品を操作スイッチ５０として使用したとしても、使用者の安全を確保することができる。
【０１２６】
また、操作スイッチ５０が接続される二次側コイルＬ２と、一次側コイルＬ１とが絶縁されていることにより、二次側コイルＬ２と操作スイッチ５０とを接続する電線も、高電圧用の高価な電線でなく安価な電線を使用することができる。また、商用交流電源とは電気的に絶縁されていることにより、輻射ノイズを考慮することなく電線の長さを自在に長くすることができるので、電子スイッチ装置１と操作スイッチ５０との配置（レイアウト）を自在に変更することができる。
【０１２７】
また、本実施形態の電子スイッチ装置１によれば、商用交流電源から電子楽器１００への電力を遮断した後は、機械式の操作スイッチ５０を操作することにより再び電力供給させることができるので、電気的なスイッチ入力を待機するための電力を不要にでき、それにより、電力消費の無駄を省くことができる。
【０１２８】
また、本実施形態の電子スイッチ装置１によれば、共振回路７を設けることにより発振回路６をブロッキング発振させることにより、発振回路６を省電力設計したとしても、検出回路８での検出動作を安定させるのに十分な電圧振幅を得ることができる。
【０１２９】
また、本実施形態の電子スイッチ装置１によれば、電力使用部である電子楽器１００の制御装置あるいは他の機器からのパワーマネジメント入力により、商用交流電源から電子楽器１００への電力を遮断（オフ）することができるので、電子楽器１００の不使用時に無駄な電力が消費されることがない。そして、操作スイッチ５０がアンラッチ型のスイッチであり、ラッチ型のスイッチのように次の操作がされるまでは非操作時であっても状態が固定されるものとは異なり、非操作時には必ず二次側コイルＬ２の両端が開放された状態となるので、電子楽器１００の制御装置からのパワーマネジメント入力により電力を遮断すれば、確実に電力の遮断を行うことができる。なお、電子楽器１００から電子スイッチ装置１００をオフするための入力は、不使用時に出力されるパワーマネジメント入力に限らず、電子楽器１００の設計に応じて種々の入力を適用することができる。
【０１３０】
ここで、電子スイッチ装置１によれば、操作スイッチ５０として、アンラッチ型のスイッチを用いているので、非操作時にはトランスＴＲ１の二次側コイルＬ２の両端が必ず開放されている。よって、電子楽器１００から入力されたパワーマネジメント入力によって電力の遮断を行った場合には、その遮断を確実に行うことができ、パワーマネジメント入力がされたにもかかわらず、操作スイッチ５０の状態によって電源が遮断されず、無駄に電力が消費されることを防止できる。
【０１３１】
また、本実施形態の電子スイッチ装置１によれば、ラッチ回路９としてポジティブエッジトリガ形のフリップフロップＩＣを使用したので、検出回路８からの出力が２回立ち上がる毎に、ラッチ回路９（ＩＣ１の端子Ｑ）からの出力が元に戻る。よって、かかるラッチ回路９の出力は、アンラッチ型のスイッチにおけるスイッチオンのために操作と、スイッチオフのための操作とを区別することができ。アンラッチ型のスイッチを操作スイッチ５０として使用することを可能にしている。
【０１３２】
また、本実施形態の電子スイッチ装置１によれば、電源投入（ＡＣ入力部２を商用交流電源に接続すること）から、ラッチ回路９の端子ＰＲ（プリセット端子）へハイが出力されるまでの期間を遅延させるコンデンサＣ１１をリセット回路１２に有しているので、電源投入時には必ずラッチ回路９の端子ＰＲへローが出力されることになる。よって、電源投入時には、ラッチ回路９の端子Ｑからハイが出力されるので、操作スイッチ５０が操作しなければ、ＡＣ出力部３から電力は供給されない。これにより、ＡＣ入力部２を商用交流電源に接続したときに意図せず電子楽器１００が駆動することを防止できる。
【０１３３】
その一方で、操作スイッチ５０が押下されている間は、押検出回路１１からの出力（Ｄ点の出力）が必ずローとなる。そして、押検出回路１１からの出力がローであれば、抵抗Ｒ２３〜Ｒ２４とトランジスタＱ９とにより、ラッチ回路９からの出力（Ｃ点の出力）がどのような状態であっても、トランジスタＱ９がオンになり、その結果、弁回路１０ａの電解効果トランジスタＱ８，Ｑ１０がオンとなり、ＡＣ出力部３から電力を出力させることができる。よって、操作スイッチ５０を押下（操作）しながら電源投入（即ち、ＡＣ入力部２を商用交流電源に接続）することにより、電源投入したタイミングで電子楽器１００を駆動させることができる。
【０１３４】
以上、実施形態に基づき本発明を説明したが、本発明は上記形態に何ら限定されるものではなく、本発明の趣旨を逸脱しない範囲内で種々の変形改良が可能であることは容易に推察できるものである。
【０１３５】
例えば、上記実施形態では、操作スイッチ５０として、アンラッチ型のスイッチを使用したが、ラッチ型のスイッチであってもよい。
【０１３６】
また、上記実施形態では、発振回路６をコルピッツ発振回路として構成したが、他のタイプの発振回路（例えば、ハートレー発振回路など）を発振回路６として使用してもよい。また、セラミック発振子Ｈを、水晶発振子など他のタイプの発振子としてもよい。
【０１３７】
また、上記実施形態では、共振回路７として、一次側コイルＬ１とコンデンサＣ３とを直列接続したものの各端を、トランジスタＱ１のエミッタ端子及びベース端子に接続する構成としたが、一次側コイルＬ１をコイルとして少なくとも含み、発振回路６にブロッキング発振を生じさせることができる他の形態の回路を使用してもよい。
【０１３８】
また、上記実施形態では、検出回路８はラッチ回路９に検出結果を２値で出力する構成としたが、ブロッキング発振の電圧振幅に基づいたアナログ量を検出回路８から開閉回路１０に直接出力し、開閉回路１０において閾値を設けて導通と遮断を切替えるように構成してもよい。
【０１３９】
また、上記実施形態では、発振回路６と、一次側コイルＬ１とコンデンサＣ３とから構成される共振回路７とを設け、共振回路７による発振によって、発振回路６（発振部Ｇ）にブロッキング発振を生じさせる構成としたが、かかる構成に限らず、Ａ点より前段の回路（即ち、検出回路８へ信号を出力する回路）は、二次側コイルＬ２が開放されている場合に発振し、二次側コイルが短絡されている場合に発振が停止する（又は、発振の電圧振幅が後段の検出回路８において検出されない大きさとなる）構成であれば、電子スイッチ装置１に適用することができる。
【０１４０】
例えば、共振回路を設けることなく、即ち、発振回路にブロッキング発振を生じさせることなく、電子スイッチ装置１を構成することも可能である。図４は、変形例としての発振回路６０示す回路図である。なお、発振回路６０において、上述した発振回路６（図１参照）と同様の機能を果たす部品については、同一の符号を付し、その説明は省略する。
【０１４１】
図４に示す発振回路６０は、５つの抵抗Ｒ１，Ｒ５１〜Ｒ５４と、電解コンデンサＣ１と、５つのコンデンサＣ２，Ｃ５，Ｃ５１，Ｃ５２，Ｃ１０３と、２つのＰＮＰ型のトランジスタＱ５１，Ｑ５２と、一次側コイルＬ１とから構成される。この発振回路６０は、発振回路６及び共振回路７に換えて上述した図１の電子スイッチ装置１に設けられる。具体的に、トランジスタＱ５２のエミッタ端子が、検出回路８におけるダイオードＤ２のカソード（即ち、＋Ｖｃｃ）に接続される。また、コンデンサＣ５におけるトランジスタＱ５２のコレクタ端子に接続されていない側の端（即ち、Ａ点側の端）が、抵抗Ｒ８におけるトランジスタＱ２のベース端子が接続されていない側の端に接続される。
【０１４２】
発振回路６０を構成する部品のうち、４つの抵抗Ｒ５１〜Ｒ５４と、２つのコンデンサＣ５１，Ｃ５２と、２つのトランジスタＱ５１，Ｑ５２とから構成される回路は、非安定マルチバイブレータ発振回路である。発振回路６０では、この非安定マルチバイブレータ発振回路におけるトランジスタＱ５１のコレクタ端子に、コンデンサＣ１０３の一端が接続され、コンデンサＣ１０３の他端は、一次側コイルＬ１の一端に接続される。一次側コイルＬ１の他端は、トランジスタＱ５２のコレクタ端子に接続される。
【０１４３】
かかる構成を有する発振回路６０は、二次側コイルＬ２が開放されているときには、非安定マルチバイブレータ発振回路（トランジスタＱ５１，Ｑ５２、抵抗Ｒ５１〜Ｒ５４、コンデンサＣ５１，Ｃ５２）により生じた発振信号をＡ点から出力する。一方、操作スイッチ５０が操作されたことにより二次側コイルＬ２が短絡されると、上述した発振回路６と同様、一次側コイルＬ１のインダクタ値の減少に起因して発振回路６０における非安定マルチバイブレータ発振回路の発振が停止する。
【０１４４】
このように、発振回路６０からの出力（検出回路８への入力）の状態は、操作スイッチ５０の押下に応じた二次側コイルＬ２の両端の状態（開放又は短絡）を反映して変化するので、発振回路６０を、発振回路６及び共振回路７に換わる電子スイッチ装置１の構成として適用することができる。かかる発振回路６０を用いる場合には、セラミック発振子Ｈを含む発振回路６より安価に発振回路を構成することができる。
【０１４５】
また、発振手段としての発振回路６０及び検出手段としての検出回路８に換えて、一次側コイルＬ１とワンチップマイコンとにより発振手段と検出手段とを構成してもよい。即ち、ワンチップマイコンにより発振と当該発振の検出とを行う構成としてもよい。
【０１４６】
また、上記実施形態では、検出回路８として、６つの抵抗Ｒ８〜Ｒ１３と、ダイオードＤ２と、コンデンサＣ７と、２つのトランジスタＱ２，Ｑ３とから構成されるフリップフロップ回路を例示したが、ＩＣにより構成してもよい。
【０１４７】
また、上記実施形態では、操作スイッチ５０を操作する毎に検出回路８からラッチ回路９への出力が立ち上がるようにしたが、操作スイッチ５０を操作する毎に検出回路８からラッチ回路９への出力が立ち下がるようにしてもよい。かかる場合には、ラッチ回路９のＩＣ１を、ネガティブエッジトリガ形のものとすればよい。
【０１４８】
また、上記実施形態では、開閉回路１０における弁回路１０ａにおいて、電力線４ａの導通と遮断とを切り換えるための部品として、ＭＯＳ−ＦＥＴ（電解効果トランジスタＱ８，Ｑ１０）を使用する構成としたが、トライアックや、絶縁ゲートバイポーラトランジスタ（ＩＧＢＴ）などを用いる構成としてもよい。
【０１４９】
また、上記実施形態では、トランジスタとしてＰＮＰ型のものを使用して回路を構成したが、ＮＰＮ型のものを使用して回路を構成してもよい。
【０１５０】
また、上記実施形態の電子スイッチ装置１は、商用交流電源から電力使用部である電子楽器１００への電力の供給と遮断とを切り換えるものとしたが、直流電源を電力供給源として、該直流電源から電力使用部への電力の供給と遮断とを切り換えるものとして構成してもよく、かかる場合にも上記実施形態の電子スイッチ装置１と同様の効果を得ることができる。
【符号の説明】
【０１５１】
１                電子スイッチ装置
２                ＡＣ入力部（コネクタ）
４ａ              電力線（電力供給路）
６                発振回路（発振手段）
７                共振回路（共振手段）
８                検出回路（検出手段）
９                ラッチ回路（ラッチ手段）
１０              開閉回路（切換手段）
１１              押検出手段（第２の検出手段）
１２              リセット回路（初期化手段、第２初期化手段）
１２ａ            フォトカプラ（制御入力手段の一部）
５０              操作スイッチ
５１              コネクタ（制御入力手段の一部）
６０              発振回路（発振手段）
Ｃ３              コンデンサ（共振手段のコンデンサ）
Ｃ１１            コンデンサ（第２初期化手段のコンデンサ）
Ｇ                発振部
ＴＲ１            トランス
Ｌ１              一次側コイル
Ｌ２              二次側コイル
ＰＲ              プリセット端子（入力端子）
Ｑ１              トランジスタ（発振手段のトランジスタ）
Ｑ４              トランジスタ（第２初期化手段の出力手段）
Ｑ９              トランジスタ（優先手段の一部）
Ｒ２２〜Ｒ２４    抵抗（優先手段の一部）
【図１】
2011199591.tif 000003
【図２】
2011199591.tif 000004
【図３】
2011199591.tif 000005
【図４】
2011199591.tif 000006